(57)【要約】【課題】瞳分割オートフォーカスを用いながら、撮影レンズが合焦状態になくても被写体像が重ならないスルー画像を表示可能な撮像装置を得る。【解決手段】ステップＳ９０１では、第１の液晶シャッタを透過した画像と第２の液晶シャッタを透過した画像との、撮像素子上におけるずれ量を算出する。ずれ量は、撮像素子の中心部における画像に対して求められる。ステップＳ９０２では、第１の液晶シャッタを透過した画像をずれ量の半分だけ右方向に移動させる。そして、第２の液晶シャッタを透過した画像をずれ量の半分だけ左方向に移動させる。ステップＳ９０３では、移動させた２つの画像を加算、あるいは平均する。そして、撮影準備処理のステップＳ７０６において、加算、あるいは平均した画像をＬＣＤモニタに表示する。加算、あるいは平均は、画像のピクセル毎に行われる。【選択図】図９
2011003985.tif 000002
【特許請求の範囲】
【請求項１】
撮像レンズから導かれた被写体像を撮像して画像データを出力する撮像素子と、
撮像レンズから撮像素子までの光路に設けられる複数のシャッタを備える瞳分割手段と、
前記撮像素子が撮像した画像データを画像として表示する表示手段とを備え、
前記複数のシャッタは、前記光路の一部を周期的に遮光可能であって、
前記撮像素子は、前記複数のシャッタが遮光しない光路毎に撮像して複数の画像データを出力し、
前記表示手段は、前記複数の画像データに含まれる被写体像どうしのずれを補正して表示する撮像装置。
【請求項２】
前記複数の画像データに含まれる被写体像どうしのずれ量を検出するずれ量検出手段をさらに備え、
前記表示手段は、前記ずれ量を用いて、前記複数の画像データに含まれる被写体像の画像上における位置が同じになるように各々の画像データの位置を補正して表示する請求項１に記載の撮像装置。
【請求項３】
前記複数の画像データに含まれる被写体像どうしのずれ量を検出するずれ量検出手段をさらに備え、
前記表示手段は、前記複数の画像データに含まれる被写体像の画像上における位置が同じになるように前記ずれ量を用いて各々の画像データの位置を補正し、これにより得られた複数の補正画像データが有する画素信号を画素毎に加算又は平均することにより得られた合成画像データを表示する請求項１に記載の撮像装置。
【請求項４】
前記表示手段は、前記複数の画像データが有する画素信号を画素毎に加算又は平均して得られた合成画像データを表示する請求項１に記載の撮像装置。
【請求項５】
撮像レンズから導かれた被写体像を撮像して画像データを出力する撮像素子と、
撮像レンズから撮像素子までの光路に設けられる複数のシャッタを備える瞳分割手段と、
前記撮像素子が撮像した画像データを画像として表示する表示手段とを備え、
前記複数のシャッタは、前記光路の一部を周期的に遮光可能であって、
前記撮像素子は、前記複数のシャッタが遮光しない光路毎に撮像して複数の画像データを出力し、
前記表示手段は、複数の表示領域を備え、前記撮像素子が出力した複数の画像データを前記複数の表示領域に各々表示する撮像装置。
【請求項６】
撮像レンズから導かれた被写体像を撮像して画像データを出力する撮像素子と、
撮像レンズから撮像素子までの光路に設けられる複数のシャッタを備える瞳分割手段と、
前記撮像素子が撮像した画像データを画像として表示する表示手段とを備え、
前記複数のシャッタは、前記光路の一部を周期的に遮光可能であって、
前記撮像素子は、前記複数のシャッタが遮光しない光路を通過する被写体像を撮像して画像データを出力し、
前記表示手段は、前記複数のシャッタが遮光しない光路を通過する被写体像を撮像して得られた画像データのみを表示する撮像装置。
【請求項７】
前記撮像素子は複数の画素からなり、
前記複数のシャッタが遮光しない光路を通過する被写体像を撮像して得られた画像データを前記表示手段が表示するとき、前記撮像素子は、前記画素から電荷を読み出す周期を短くする請求項６に記載の撮像装置。
【発明の詳細な説明】
【技術分野】
【０００１】
本発明は、瞳分割オートフォーカスを用いて被写体を撮像する撮像装置に関する。
【背景技術】
【０００２】
撮影レンズと撮像素子との間に瞳分割手段を設けて光路を開閉し、異なる光路を通過して得られた画像を比較することにより合焦を判断する撮像装置が知られている。瞳分割手段は、複数の例えば液晶シャッタから成り、光路を複数に分割する。異なる光路を通過した被写体像は、撮影レンズが合焦状態にあるとき、撮像素子上において同じ位置に結像するが、合焦状態にないときは異なる位置に結像する。撮像装置は表示装置を備え、撮像素子が撮像した画像をスルー画像として表示する（特許文献１）。
【先行技術文献】
【特許文献】
【０００３】
【特許文献１】特開平６−１７５０１５号公報
【発明の概要】
【発明が解決しようとする課題】
【０００４】
このような撮像装置において、表示装置にスルー画像を表示すると、異なる光路を通過して得られた画像がスルー画像として表示されるため、撮影レンズが合焦状態にないとき、被写体像が光路の数だけ重なって見えることになる。これにより、スルー画像が見苦しいものになる。
【０００５】
本発明は、これらの問題を鑑みてなされたものであり、瞳分割オートフォーカスを用いながら、撮影レンズが合焦状態になくても被写体像が二重にならないスルー画像を表示可能な撮像装置を得ることを目的とする。
【課題を解決するための手段】
【０００６】
本願第１の発明による撮像装置は、撮像レンズから導かれた被写体像を撮像して画像データを出力する撮像素子と、撮像レンズから撮像素子までの光路に設けられる複数の液晶シャッタを備える瞳分割手段と、撮像素子が撮像した画像データを画像として表示する表示手段とを備え、複数の液晶シャッタは、光路の一部を周期的に遮光可能であって、撮像素子は、複数の液晶シャッタが遮光しない光路毎に撮像して複数の画像データを出力し、表示手段は、複数の画像データに含まれる被写体像どうしのずれを補正して表示することを特徴とする。
【０００７】
複数の画像データに含まれる被写体像どうしのずれ量を検出するずれ量検出手段をさらに備え、表示手段は、ずれ量を用いて、複数の画像データに含まれる被写体像の画像上における位置が同じになるように各々の画像データの位置を補正して表示することが好ましい。
【０００８】
複数の画像データに含まれる被写体像どうしのずれ量を検出するずれ量検出手段をさらに備え、表示手段は、複数の画像データに含まれる被写体像の画像上における位置が同じになるようにずれ量を用いて各々の画像データの位置を補正し、これにより得られた複数の補正画像データが有する画素信号を画素毎に加算又は平均することにより得られた合成画像データを表示してもよい。
【０００９】
表示手段は、複数の画像データが有する画素信号を画素毎に加算又は平均して得られた合成画像データを表示してもよい。
【００１０】
本願第２の発明による撮像装置は、撮像レンズから導かれた被写体像を撮像して画像データを出力する撮像素子と、撮像レンズから撮像素子までの光路に設けられる複数の液晶シャッタを備える瞳分割手段と、撮像素子が撮像した画像データを画像として表示する表示手段とを備え、複数の液晶シャッタは、光路の一部を周期的に遮光可能であって、撮像素子は、複数の液晶シャッタが遮光しない光路毎に撮像して複数の画像データを出力し、表示手段は、複数の表示領域を備え、撮像素子が出力した複数の画像データを複数の表示領域に各々表示することを特徴とする。
【００１１】
本願第３の発明による撮像装置は、撮像レンズから導かれた被写体像を撮像して画像データを出力する撮像素子と、撮像レンズから撮像素子までの光路に設けられる複数の液晶シャッタを備える瞳分割手段と、撮像素子が撮像した画像データを画像として表示する表示手段とを備え、複数の液晶シャッタは、光路の一部を周期的に遮光可能であって、撮像素子は、複数の液晶シャッタが遮光しない光路を通過する被写体像を撮像して画像データを出力し、表示手段は、複数の液晶シャッタが遮光しない光路を通過する被写体像を撮像して得られた画像データのみを表示することを特徴とする。
【００１２】
撮像素子は複数の画素からなり、複数の液晶シャッタが遮光しない光路を通過する被写体像を撮像して得られた画像データを表示手段が表示するとき、撮像素子は、前記画素から電荷を読み出す周期を短くすることが好ましい。
【発明の効果】
【００１３】
以上のように本発明によれば、瞳分割オートフォーカスを用いながら、撮影レンズが合焦状態になくても被写体像が二重にならないスルー画像を表示可能な撮像装置を得る。
【図面の簡単な説明】
【００１４】
【図１】本発明によるデジタルカメラを背面から示した斜視図である。
【図２】デジタルカメラのブロック図である。
【図３】瞳分割手段を示した斜視図である。
【図４】撮影レンズが合焦状態にないときの光路を示した図である。
【図５】撮影レンズが合焦状態にないときの光路を示した図である。
【図６】重畳状態にある被写体像を示した図である。
【図７】撮影準備処理を示したフローチャートである。
【図８】重畳が解消された被写体像を示した図である。
【図９】表示制御処理を示したフローチャートである。
【図１０】表示制御処理により重畳が解消された被写体像を示した図である。
【発明を実施するための形態】
【００１５】
以下、本発明による一実施形態について、図を用いて説明する。
【００１６】
第１の実施形態による撮像装置であるデジタルカメラ１００の構成について図１から３を用いて説明する。デジタルカメラ１００は、例えば一眼レフである。
【００１７】
デジタルカメラ１００の外面には、主電源のオンオフを切り替える主電源ボタン１１１、レリーズボタン１１２、ＬＣＤモニタ１１４、カードスロット１１６、及びデジタルカメラ１００の前面から突出する撮像レンズ１２１が設けられる。主電源ボタン１１１及びレリーズボタン１１２が操作部材１１０を成す。
【００１８】
主電源ボタン１１１は、デジタルカメラ１００の背面から突出するモーメンタリスイッチである。ユーザが主電源ボタン１１１を押圧すると、デジタルカメラ１００の電源が投入される。デジタルカメラ１００の電源が入れられているときにユーザが主電源ボタン１１１を押圧すると、デジタルカメラ１００の電源が切断される。
【００１９】
レリーズボタン１１２は、二段式のモーメンタリスイッチであり、デジタルカメラ１００の頂面に設けられる。ユーザがレリーズボタン１１２を半押しすると、測光や測距及び合焦動作が行われ、全押しすると撮像動作が行われる。
【００２０】
ＬＣＤモニタ１１４は、撮影画像と同じ３対４の縦横比を有する長方形である。図１に示すように、デジタルカメラ１００の左右方向に延びるようにデジタルカメラ１００の背面略中央に設けられる。撮像レンズ１２１を介して得られたスルー画像、撮影済みの撮影画像、及びデジタルカメラ１００の各種設定を表示可能である。
【００２１】
デジタルカメラ１００は、デジタルカメラ１００の動作を制御するＤＳＰ１３１と、デジタルカメラ１００を操作するために用いられる操作部材１１０と、被写体像をデジタル画像信号に変換する撮像部１２０と、ＤＳＰ１３１から送信されるデータを記憶するメモリ１３２と、撮影された画像を記録するＳＤカード１３３と、撮影のための情報や撮影済みの画像を表示するＬＣＤモニタ１１４と、撮像レンズ１２１からの光路を分割する瞳分割手段１２６と、瞳分割手段１２６を駆動する液晶駆動回路１２７と、撮像レンズ１２１と、撮像レンズ１２１を駆動する撮像レンズ駆動回路１２２とから主に構成される。
【００２２】
撮像部１２０は、撮像素子１２４及びＡＦＥ（アナログ・フロント・エンド）１２５とから主に構成される。
【００２３】
撮像素子１２４は、ＣＣＤ又はＣＭＯＳから成り、入射した被写体像をアナログ画像信号に変換する撮像面を有する。撮像レンズ１２１は、被写体像を撮像素子１２４の撮像面に合焦させる。撮像面は長方形であって、図１において左右方向と長辺方向が一致、また上下方向に短辺方向が一致するように、デジタルカメラ１００内に設けられる。
【００２４】
撮像素子１２４は、撮像面に結像した被写体像をアナログ画像信号に変換して、ＡＦＥ１２５に送信する。ＡＦＥ１２５は、アナログ画像信号に対してゲインの調整などを行った後にデジタル画像信号に変換して、ＤＳＰ１３１に送信する。
【００２５】
瞳分割手段１２６は、撮像レンズ１２１の光路上であって、撮像素子１２４に至る撮像光路全体を覆う位置に取り付けられ、第１及び第２の液晶シャッタ１２６ａ、１２６ｂを有する。第１及び第２の液晶シャッタ１２６ａ、１２６ｂは、水平方向に並べられる。撮像素子１２４から撮像レンズ１２１をみたとき、第１の液晶シャッタ１２６ａは撮像光路の右半分に設けられ、第２の液晶シャッタ１２６ｂは撮像光路の左半分に設けられる。第１の液晶シャッタ１２６ａ及び第２の液晶シャッタ１２６ｂにより、撮像光路が二分される。第１及び第２の液晶シャッタ１２６ａ、１２６ｂは、液晶を有し、液晶駆動回路１２７が第１及び第２の液晶シャッタ１２６ａ、１２６ｂに電圧を印加すると、液晶の整列方向が変化して光を遮断する。
【００２６】
ＤＳＰ１３１が液晶駆動回路１２７に開閉信号を送信すると、液晶駆動回路１２７は開閉信号に応じて第１及び第２の液晶シャッタ１２６ａ、１２６ｂに電圧を印加する。これにより、第１及び第２の液晶シャッタ１２６ａ、１２６ｂは、交互に光路を開閉する。すなわち、第１の液晶シャッタ１２６ａが光路を開放するときには、第２の液晶シャッタ１２６ｂが光路を閉じ、第１の液晶シャッタ１２６ａが光路を閉じるときには、第２の液晶シャッタ１２６ｂが光路を開放する。
【００２７】
撮像前におけるＤＳＰ１３１は、デジタル画像信号に含まれる被写体像の光量を用いて被写体を測光する。これにより得られた測光値を用いて露光値を演算し、この露光値に基づき撮影に必要となる絞り値及びシャッタスピード値を演算する。そして、演算された絞り値及びシャッタスピード値を用いて撮像を行う。
【００２８】
さらに、ＤＳＰ１３１は、位相差ＡＦ処理を実行可能である。位相差ＡＦ処理は、瞳分割手段１２６を用いて撮像レンズ１２１を被写体に合焦させる処理である。より詳細に説明すると、合焦を行うとき、ＤＳＰ１３１は、第１及び第２の液晶シャッタ１２６ａ、１２６ｂを所定の周期で交互に開閉させる。第１の液晶シャッタ１２６ａが光路を開放するとき、第１の液晶シャッタ１２６ａを透過する光が撮像素子１２４に照射される（図４参照）。そして、第２の液晶シャッタ１２６ｂが光路を開放するとき、第２の液晶シャッタ１２６ｂを透過する光が撮像素子１２４に照射される（図５参照）。撮像素子１２４上に被写体像が合焦するとき、第１の液晶シャッタ１２６ａを透過する被写体像と、第２の液晶シャッタ１２６ｂを透過する被写体像とが撮像素子１２４上で一致する。ＤＳＰ１３１は、ＡＦＥ１２５からデジタル画像信号を受信して画像処理を行い、第１の液晶シャッタ１２６ａを透過する被写体像と、第２の液晶シャッタ１２６ｂを透過する被写体像とが撮像素子１２４上で一致するように、撮像レンズ１２１を駆動して、被写体に撮像レンズ１２１を合焦させる。被写体像に撮像レンズ１２１が合焦すると、ＤＳＰ１３１は、いわゆるＡＦロックを行い、撮像レンズ１２１が有する合焦光学系を動かないように固定する。
【００２９】
同時に、ＤＳＰ１３１は、ＡＦＥ１２５から受信したデジタル画像信号を受信して画像処理を行い、１フレームのフレーム画像データを作成する。そして、フレーム画像データをスルー画像としてＬＣＤモニタ１１４に表示する。
【００３０】
撮像時におけるＤＳＰ１３１は、デジタル画像信号を受信して画像処理を行い、１フレームのフレーム画像データを作成する。そして、フレーム画像データをＳＤカード１３３に保存し、ＬＣＤモニタ１１４に表示する。メモリ１３２は、ＤＳＰ１３１がこれらの演算及び画像処理等を実行するときに、一時的にデータを記録する作業メモリとして使用される。
【００３１】
ＬＣＤモニタ１１４は、撮影画像と同じ３対４の縦横比を有する長方形である。デジタルカメラ１００の左右方向に延びるようにデジタルカメラ１００の背面略中央に設けられる。撮像レンズ１２１を介して得られた画像、撮影済みの撮影画像、及びデジタルカメラ１００の各種設定を表示可能である。また、ＬＣＤモニタ１１４は、ＤＳＰ１３１が送信したスルー画像を表示可能である。
【００３２】
操作部材１１０は、主電源ボタン１１１、レリーズボタン１１２を有する。
【００３３】
主電源ボタン１１１は、デジタルカメラ１００の上面から突出するモーメンタリスイッチである。ユーザが主電源ボタン１１１を押圧すると、デジタルカメラ１００の電源が投入される。デジタルカメラ１００の電源が入れられているときにユーザが主電源ボタン１１１を押圧すると、デジタルカメラ１００の電源が切断される。
【００３４】
ＳＤカード１３３は、デジタルカメラ１００の側面に設けられるカードスロット１１６に脱着自在に格納される。ユーザは、デジタルカメラ１００の外部からＳＤカード１３３にアクセスして、自由に交換することが可能である。
【００３５】
瞳分割手段１２６を用いて撮像レンズ１２１を合焦させるとき、第１及び第２の液晶シャッタ１２６ａ、１２６ｂを通過した被写体像が交互に撮像素子１２４に照射される。そのため、撮像レンズ１２１が合焦していないとき、撮像素子１２４にはピントの合わない被写体像が二重になって表示される。このときＬＣＤモニタ１１４にスルー画像を表示すると、ＬＣＤモニタ１１４にピントの合わない被写体像が二重になって表示される（図６参照）。これは、見苦しいばかりでなく、デジタルカメラ１００が壊れたかのような印象をユーザに与えるという問題がある。これを解消するため、以下の処理を行う。
【００３６】
次に、図７を用いて撮影準備処理について説明する。撮影準備処理は、レリーズボタン１１２が半押しされたときＤＳＰ１３１により実行される。
【００３７】
ステップＳ７０１では、撮像レンズ１２１がＡＦロックされているか否かが判断される。ＡＦロックされているときには、撮像レンズ１２１は被写体に既に合焦していると考えられるため、ステップＳ７０３からＳ７０５におけるＡＦ処理等を実行せず、ステップＳ７０２へ移行する。
【００３８】
ステップＳ７０２では、瞳分割手段１２６が光路を開放するようにＤＳＰ１３１が液晶駆動回路１２７に信号を送信する。そして、瞳分割手段１２６が光路を開放する。その後、処理がステップＳ７０６に移行する。
【００３９】
ステップＳ７０１においてＡＦロックされていないときには、撮像レンズ１２１が被写体に合焦していないと考えられるため、ステップＳ７０３からＳ７０５におけるＡＦ処理等を実行する。
【００４０】
ステップＳ７０３では、瞳分割手段１２６が光路を連続的に開閉するようにＤＳＰ１３１が液晶駆動回路１２７に開閉信号を送信する。そして、瞳分割手段１２６が光路の開放、遮断を繰り返す。
【００４１】
次のステップＳ７０４では、位相差ＡＦ処理を実行する。位相差ＡＦ処理の実行に平行して、ステップＳ７０５の表示制御処理とステップＳ７０６のモニタ表示が実行される。
【００４２】
ステップＳ７０５の表示制御処理とステップＳ７０６のモニタ表示とが実行されるとき、未だ被写体像が撮像素子１２４に結像していない。そこで、前述のように像が二重となってＬＣＤモニタ１１４に表示されることを防ぐため、ＬＣＤモニタ１１４の表示領域を二分割し、左側に第１の液晶シャッタ１２６ａを透過した画像を表示し、右側に第２の液晶シャッタ１２６ｂを透過した画像を表示する（図８参照）。これにより、ＬＣＤモニタ１１４に表示される被写体像が二重となることが防止できる。
【００４３】
ステップＳ７０７では、レリーズボタン１１２が半押しされているか否かを判断する。半押しされていない場合、処理が終了する。半押しされている場合、処理がステップＳ７０８に進む。
【００４４】
ステップＳ７０８では、レリーズボタン１１２が膳押しされたか否かを判断する。全押しされていない場合、処理がステップＳ７０１に戻る。全押しされている場合、処理がステップＳ７０９に進む。
【００４５】
ステップＳ７０９では、瞳分割手段１２６が光路を開放するようにＤＳＰ１３１が液晶駆動回路１２７に信号を送信する。そして、瞳分割手段１２６が光路を開放する。その後、処理がステップＳ７１０に移行する。
【００４６】
ステップＳ７１０では、レリーズ処理を実行することにより被写体を撮像し、得られた画像データをＳＤカード１３３に記録する。その後、処理が終了する。
【００４７】
本実施形態によれば、瞳分割オートフォーカスを用いて被写体を撮像する場合であっても、ＬＣＤモニタ１１４に表示されるスルー画像が二重となることがない。
【００４８】
なお、ステップＳ７０５の表示制御処理とステップＳ７０６のモニタ表示とにおいて、ＬＣＤモニタ１１４の表示領域を二分割せず、第１の液晶シャッタ１２６ａを透過した画像又は第２の液晶シャッタ１２６ｂを透過した画像のいずれか一方を表示領域に表示してもよい。これにより、ＬＣＤモニタ１１４に表示されるスルー画像が二重となることが防止できる。
【００４９】
また、ステップＳ７０５の表示制御処理とステップＳ７０６のモニタ表示とにおいて、ＬＣＤモニタ１１４の表示領域を二分割せず、第１の液晶シャッタ１２６ａを透過した画像又は第２の液晶シャッタ１２６ｂを透過した画像を構成するピクセル毎に加算、あるいは平均して得られた画像をＬＣＤモニタ１１４に表示してもよい。
【００５０】
次に、第２の実施形態について図９及び１０を用いて説明する。第１の実施形態と同様の構成については同じ符号を付して説明を省略する。
【００５１】
本実施形態は、表示制御処理が第１の実施形態と異なる。そこで、表示制御処理について説明する。
【００５２】
ステップＳ９０１では、第１の液晶シャッタ１２６ａを透過した画像と第２の液晶シャッタ１２６ｂを透過した画像との、撮像素子１２４上におけるずれ量を算出する。ずれ量は、撮像素子１２４の例えば中心部における画像に対して求められる。
【００５３】
ステップＳ９０２では、第１の液晶シャッタ１２６ａを透過した画像をずれ量の半分だけ右方向に移動させる。そして、第２の液晶シャッタ１２６ｂを透過した画像をずれ量の半分だけ左方向に移動させる。
【００５４】
ステップＳ９０３では、移動させた２つの画像を加算、あるいは平均する。そして、撮影準備処理のステップＳ７０６において、加算、あるいは平均した画像をＬＣＤモニタ１１４に表示する（図１０参照）。加算、あるいは平均は、画像のピクセル毎に行われる。これにより、ＬＣＤモニタ１１４に表示されるスルー画像が二重となることが防止できる。
【００５５】
本実施形態によれば、瞳分割オートフォーカスを用いて被写体を撮像する場合であっても、ＬＣＤモニタ１１４に表示されるスルー画像が二重となることがなく、かつＬＣＤモニタ１１４に表示される被写体像の位置が合焦時における被写体像の位置と略同じ位置となる。
【００５６】
また、コントラストＡＦよりも合焦速度の速い瞳分割オートフォーカスを用いながら、被写体像が二重にならないスルー画像を表示することができる。
【００５７】
さらに、撮像素子１２４の読み出し周期（フレームレート）を上げたとき、電荷蓄積時間が短くなって撮像素子１２４の受光光量が低下して画像が暗くなるおそれがあるが、ステップＳ９０３において加算を行えば、画像が暗くなることを防止できる。
【００５８】
なお、瞳分割オートフォーカスを用いるとき、撮像素子１２４から画像を読み出す読み出し周期（フレームレート）を増やすことが望ましい。例えば、３０ｆｐｓから６０ｆｐｓといったように倍に増やす。これにより、ＬＣＤモニタ１１４に表示されるスルー画像がぎこちなくなることを防止し、スルー画像の動きを滑らかにすることができる。
【００５９】
ステップＳ９０２において、第１及び第２の液晶シャッタ１２６ａ、１２６ｂを透過した画像の両方を移動させず、どちらか一方をずれ量だけ移動させても良い。
【００６０】
また、ステップＳ９０３を実行せず、第１及び第２の液晶シャッタ１２６ａ、１２６ｂを透過した画像のどちらか一方をずれ量だけ移動させ、移動した画像と移動しない画像を交互にＬＣＤモニタ１１４に表示しても良い。
【００６１】
液晶駆動回路１２７は、第１及び第２の液晶シャッタ１２６ａ、１２６ｂに電圧を印加することにより、光を透過させてもよい。
【００６２】
また、第１及び第２の液晶シャッタ１２６ａ、１２６ｂは液晶を利用したシャッタに限定されず、幕走査式のシャッタなどであっても良い。
【符号の説明】
【００６３】
１００  デジタルカメラ
１１０  操作部材
１１１  主電源ボタン
１１２  レリーズボタン
１１４  ＬＣＤモニタ
１１６  カードスロット
１２０  撮像部
１２１  撮像レンズ
１２２  撮像レンズ駆動回路
１２４  撮像素子
１２５  ＡＦＥ
１２６  瞳分割手段
１２６ａ  第１の液晶シャッタ
１２６ｂ  第２の液晶シャッタ
１２７  液晶駆動回路
１３１  ＤＳＰ
１３２  メモリ
１３３  ＳＤカード
【図１】
2011003985.tif 000003
【図２】
2011003985.tif 000004
【図３】
2011003985.tif 000005
【図４】
2011003985.tif 000006
【図５】
2011003985.tif 000007
【図６】
2011003985.tif 000008
【図７】
2011003985.tif 000009
【図８】
2011003985.tif 000010
【図９】
2011003985.tif 000011
【図１０】
2011003985.tif 000012